(57)【要約】【課題】製品自体は簡単に運搬でき、敷設に関して特殊な技術・知識を必要とせず、従来品よりも的確かつ設置時間を短縮できるように考案。また仕上げ材と根太との発熱部挟み込みによる絶縁不良や、釘うちによる漏電事故も防止できる。施工性・均一性・耐久性に優れ、熱効率を上げることにより消費電力を安価に抑え、経済性に優れた床暖房用ヒーターを提供する。【解決手段】面状発熱体の両サイドに幅広に設けた絶縁体部分を根太上に固定することにより、根太間への落ち込みを防ぐ。面状発熱体をホッチキス・タッカー・釘等により、仮留め・本留めが簡単に出来る為、敷設施工が従来品より短時間で簡単、正確に出来る。また、仕上げ材と密着し安定した熱効果を得ることが可能になり、電気的絶縁不良も解消できる。ヒーターの下に断熱材を敷くことにより熱効率を一層上げることができる。【選択図】図１
0003114313.tif 000002
【実用新案登録請求の範囲】
【請求項１】
床暖房用面状発熱体の両サイドに耳（余白）となる絶縁体部分を広く設け、根太の上に止めつけることを可能にしたことを特徴とする根太間対応型床暖房ヒーター。
【請求項２】
床暖房用面状発熱体の全幅を日本家屋の根太間モジュール（３０３ｍｍまたは４５５ｍｍ）に合わせることにより敷設施工の利便性、および根太間下への落ち込み、また面状発熱体敷設留め付け不備により設置位置のズレが生じ、根太と仕上げ材との挟み込みに起因する絶縁不良、及び仕上げ材設置時の釘の打ち抜きによる漏電や破損を防ぐことを特徴とした根太間対応型床暖房ヒーター。
【考案の詳細な説明】
【技術分野】
【０００１】本考案は面状発熱体を利用した根太間対応型床暖房ヒーターである。【０００２】本考案は、床構造に根太または小根太がある構造の建物に、床暖房となる面状発熱体の発熱部を根太間中央に来るように止めつけることにより熱効果を得るもので、両サイドに耳（余白）なる絶縁体部分を広く設け、根太上に絶縁体部を留めつける工法にて施工が短時間で、容易かつ正確に出来、安全が確保されるものである。
【背景技術】
【０００３】従来、床暖房は床下に電熱用抵抗線や、温水を通す流通管を敷設することにより熱を床上に放熱させ室内を暖房していた。【０００４】また、仕上げ材の下に下地合板を設置し、仕上げ材と下地合板との間に面状発熱体を設置し熱を得る方法や、根太間の断熱材の上に面状発熱体を置き、熱を得る方法などがある。
【考案の開示】
【考案が解決しようとする課題】
【０００５】しかし、上記の温水を通す流通管を敷設する暖房方法は、工事が大掛かりとなり施工時の費用が高く、温水を循環させるためにボイラーを使用するので、メンテナンスが毎年必要となる。【０００６】また、一般にボイラーには石油等の化石燃料を使用するため、運転中は大気中に排気ガスとともに、二酸化炭素を放出する。【０００７】このため大気汚染や温暖化の原因ともなり地球環境を汚染するという問題がある。【０００８】電熱用抵抗線は電熱線を使用したコード式ヒーターである。【０００９】コード式ヒーターは、ヒーターが螺旋状に設置するために、ヒーター間隔の均等な確保と設置施工が困難である。【００１０】従来型の面状発熱体は根太モジュールより幅広のため、下地合板と仕上げ材との間に設置するので挟み込み圧力による漏電や絶縁不良、絶縁低下が生じ安全性に問題があった。【００１１】根太間に設置する従来型面状発熱体は全幅が根太間より狭いために、経年ヒーターが断熱材とともに根太下に落ち込む為、仕上げ材と密着せず空間ができ熱効率が悪いものであった。【００１２】また敷設施工時の仮留め、本留め等の留め付け不備による設置位置ズレが生じ根太と仕上げ材とに挟み込まれ、漏電や絶縁不良等安全性に欠けるものであった。
【考案が解決しようとする課題】
【００１３】本考案は上述の技術の諸欠点に鑑みなされたもので、設置施工が短時間で正確かつ安全にできないかという課題である。
【課題を解決するための手段】
【００１４】本考案者はこのような従来の面状発熱体の問題点を解決するために研究の結果、根太間対応型面状発熱体に着眼し、発熱体の両サイドの耳（余白）となる絶縁体部分を広くすることを考案、この絶縁体部分を根太上面に固定することを考案した。【００１５】本考案の面状発熱体発熱部の幅は根太間よりも若干狭く、絶縁体部分を入れた全体の幅は根太間（内法）よりも広く、日本家屋の根太間モジュール（３０３ｍｍ、４５５ｍｍ）に合わせることとした。
【考案の効果】
【００１６】以上詳述した本考案は、ヒーターの両サイドに耳（余白）なる絶縁体（３）を従来（根太間内法幅）より幅広く設けることによりヒーターを短時間に、的確に設置できる。
【実施例】
【００１７】面状発熱体の両サイドの耳（余白）の絶縁体部分を根太上面にホッチキス、タッカー等で固定できるため、発熱部（１）は正確に根太間中央に設置させ固定させることができるので、挟み込み圧力による漏電、絶縁不良、絶縁低下等が回避でき安全である。【００１８】また根太上面に留めつけることにより経年根太下に落ち込むことがなく仕上げ材に密着するため、安定した熱効果を得ることが可能になる。【００１９】運搬、移動に関しては扁平で柔軟性に富むヒーターの両サイドに絶縁体を広く設けたものであり、反物のように巻物にし、容易にすることが可能である。
【考案を実施するための最良の形態】
【００２０】本考案の実施の形態を図面に基づいて詳述する。【００２１】図１より面状発熱体（１）の左右にある（２）は電極となる銅版を示す。【００２２】銅版の左右にある（３）は根太に固定する耳部分（余白）となる絶縁体部である。【００２３】面状発熱体（１）の切断面の片方にある銅版（２）に電線（５ａ，ｂ）を溶着させ（６）で絶縁カバーする。【００２４】前述の後、任意の長さにカットした面状発熱体の終端を端末絶縁体・端末テープ（４）を使用し絶縁処理する。【００２５】根太間用ヒーターの長さは、２０ｃｍから２０ｍまで任意の長さに製作することができる。【００２６】そして、この根太間用ヒーター（図１）は、使用する床下の根太間中央に発熱部が配置されるように設置し、電線を電源に接続することにより床暖房をおこなうことができる。
【産業上の利用可能性】
【００２７】上述のとおり本考案の面状発熱体は、以下に列記する特徴を有している。
（１）持ち運び運搬は簡便で、保管場所も小狭な面積で可能である。
（２）根太間対応型床暖房ヒーターを短時間に、安全かつ正確に設置施工ができる。
（３）根太上面にホッチキス、タッカー等にて簡単に設置固定が可能である。
（４）設置後の経年落下による熱効率の低下の心配がなくクリーンな性質を生かした床暖房で、光線や熱風、音などを発するものではなく、一般家庭から各種施設にいたるまで利用可能である。【００２８】従来から面状発熱体を利用した床暖房ヒーターは開発されていたが、本考案は上記４つの特徴を中心に利便性、効率性、安全性および経済性を兼ね備えた床暖房装置であり、一般家庭からあらゆる施設において利用しうるもので、市場性は大きいと推察される。
【図面の簡単な説明】
【００２９】
【図１】面状発熱体根太間用ヒーター（以下単にヒーターという）の構造を示した詳細図である。
【図２】ヒーターの側面を示した詳細図である。
【符号の説明】
【００３０】１：発熱部
２：銅版
３：絶縁材料
４：端末絶縁体・端末テープ
５ａ，ｂ：電線（リード線）
６：端末保護カバー
【図１】
0003114313.tif 000003
【図２】
0003114313.tif 000004